(57)【要約】【課題】  入浴後の身体に付着している水滴を浴室内に吹き飛ばすことができて、浴室廻りの衛生設備室の衛生面や耐久性の面での低下を防止し得ると共に、水滴除去時に入浴者が寒さを感じること等のない浴室のボディドライヤ装置を提供する。【解決手段】  所定間隔を有する対向面に吹出口がそれぞれ設けられた吹出口ボックスと、吹出口ボックスに所定状態の空気を送り込むための送風手段と、を備え、吹出口ボックスを浴室への出入り口となる浴室ドア部分に配置すると共に、その吹出口からの空気の吹出方向を浴室内方向に指向させる。所定状態の空気は、除湿機により除湿された空気及び又は暖熱機により暖められた空気であり、吹出口は、浴室ドアの幅方向両側にそれぞれ立設状態で設けられ、各吹出口から吹き出される空気がスウィング可能に構成される。【選択図】  図１
2006122420.tif 000002
【特許請求の範囲】
【請求項１】
所定間隔を有する対向面に吹出口がそれぞれ設けられた吹出口ボックスと、該吹出口ボックスに所定状態の空気を送り込むための送風手段と、を備え、
前記吹出口ボックスを浴室への出入り口となる浴室ドア部分に配置すると共に、その吹出口からの空気の吹出方向を浴室内方向に指向させたことを特徴とする浴室のボディドライヤ装置。
【請求項２】
前記所定状態の空気は、除湿機により除湿された空気及び又は暖熱機により暖められた空気であることを特徴とする請求項１に記載の浴室のボディドライヤ装置。
【請求項３】
前記送風手段は、浴室の天井部分と前記吹出口ボックスとを連通する送風ダクトと、該送風ダクト内に配置されたコンプレッサを有し、コンプレッサの作動で浴室内の空気を吸引して吹出口ボックスに供給することを特徴とする請求項１または２に記載の浴室のボディドライヤ装置。
【請求項４】
前記吹出口は、浴室ドアの幅方向両側にそれぞれ立設状態で設けられ、各吹出口から吹き出される空気がスウィング可能に構成されていることを特徴とする請求項１ないし３のいずれかに記載の浴室のボディドライヤ装置。
【請求項５】
前記送風手段の作動を制御する制御手段を備え、前記浴室ドアが閉じている際に制御手段により送風手段を作動させることを特徴とする請求項１ないし４のいずれかに記載の浴室のボディドライヤ装置。
【請求項６】
前記制御手段は、浴室ドア近傍に配置した検出手段により吹出口近傍に入浴者を検知した際に前記送風手段を作動させると共に、所定時間経過した後に送風手段を停止させることを特徴とする請求項５に記載の浴室のボディドライヤ装置。
【請求項７】
前記吹出口ボックスは、浴室ドア近傍の床面に設けられて入浴者の足裏に空気を吹き出し得る足裏吹出口及び又は浴室のドア近傍の天井部分に設けられて入浴者の頭部に空気を吹き出し得る頭部吹出口を備えることを特徴とする請求項１ないし６のいずれかに記載の浴室のボディドライヤ装置。
【発明の詳細な説明】
【技術分野】
【０００１】
本発明は、例えばシステムバスルーム等の浴室のドア部分に設けられて入浴者の身体に付着した水滴除去等が可能な浴室のボディドライヤ装置に関する。
【背景技術】
【０００２】
従来、洗面室等の衛生設備室に設けられるボディドライヤ装置としては、例えば特許文献１に開示されている。このボディドライヤ装置は、コンプレッサと、このコンプレッサに接続された送風管と、送風管の先端に昇降手段により昇降可能に設けられたノズル等で構成されている。そして、このボディドライヤ装置が、洗面室に設置される洗面台の側方に配置されることにより、立った状態の身体に向けてノズルから圧縮空気を吹き付けることにより、身体に付着している水滴を吹き飛ばすようにしたものである。
【特許文献１】特開平６−１７８７０８号公報
【発明の開示】
【発明が解決しようとする課題】
【０００３】
しかしながら、このボディドライヤ装置にあっては、装置が浴室に隣接する洗面室内の洗面台の側方に配置されるため、ノズルから噴射される圧縮空気で例えば入浴後の入浴者の身体に付着している水滴を吹き飛ばす（水滴除去する）ことができるものの、水滴が洗面室内に吹き飛ばされる状態となって衛生面で劣ると共に、洗面室の耐久性の面等でも好ましくない。また、入浴者が浴室から洗面室まで移動した後に水滴を身体から除去する方法であるため、例えば冬季の入浴時において、浴室内で温まった身体の水滴を温度の低い洗面室内で除去することになり、水滴除去時に入浴者が寒さを感じる場合がある等の問題点もある。
【０００４】
本発明は、このような事情に鑑みてなされたもので、その目的は、入浴後の身体に付着している水滴を浴室内に吹き飛ばすことができて、浴室廻りの衛生設備室の衛生面や耐久性の面での低下を防止し得ると共に、水滴除去時に入浴者が寒さを感じること等のない浴室のボディドライヤ装置を提供することにある。
【課題を解決するための手段】
【０００５】
かかる目的を達成すべく、本発明のうち請求項１に記載の発明は、所定間隔を有する対向面に吹出口がそれぞれ設けられた吹出口ボックスと、該吹出口ボックスに所定状態の空気を送り込むための送風手段と、を備え、前記吹出口ボックスを浴室への出入り口となる浴室ドア部分に配置すると共に、その吹出口からの空気の吹出方向を浴室内方向に指向させたことを特徴とする。
【０００６】
そして、前記所定状態の空気は、請求項２に記載の発明のように、除湿機により除湿された空気及び又は暖熱機により暖められた空気であることが好ましい。また、前記送風手段は、請求項３に記載の発明のように、浴室の天井部分と前記吹出口ボックスとを連通する送風ダクトと、該送風ダクト内に配置されたコンプレッサを有し、コンプレッサの作動で浴室内の空気を吸引して吹出口ボックスに供給することが好ましい。さらに、前記吹出口は、請求項４に記載の発明のように、浴室ドアの幅方向両側にそれぞれ立設状態で設けられ、各吹出口から吹き出される空気がスウィング可能に構成されていることが好ましい。
【０００７】
また、請求項５に記載の発明のように、前記送風手段の作動を制御する制御手段を備え、前記浴室ドアが閉じている際に制御手段により送風手段を作動させることが好ましく、この場合、前記制御手段は、請求項６に記載の発明のように、浴室ドア近傍に配置した検出手段により吹出口近傍に入浴者を検知した際に、前記送風手段を作動させると共に、所定時間経過した後に送風手段を停止させることが好ましい。またさらに、前記吹出口ボックスは、請求項７に記載の発明のように、浴室ドア近傍の床面に設けられて入浴者の足裏に空気を吹き出し得る足裏吹出口及び又は浴室のドア近傍の天井部分に設けられて入浴者の頭部に空気を吹き出し得る頭部吹出口を備えることが好ましい。
【発明の効果】
【０００８】
本発明の請求項１に記載の発明によれば、互いに対向する面に吹出口がそれぞれ設けられた吹出口ボックスを、浴室への出入り口となる浴室ドア部分に配置すると共に、送風手段により送風される空気を吹出口ボックスの吹出口から浴室内方向に指向させて吹き出すため、浴室から出ようとする入浴者の身体の水滴を浴室内に向けて吹き出される空気で除去できて、除去した水滴の浴室外への垂れ等が防止され、浴室廻りの衛生設備室の衛生状態を良好に維持することができたり湿気による耐久性の低下を防止できると共に、浴室内のドア近傍で水滴除去できることから、入浴者が寒さ等を感じることのない快適な入浴を行うことが可能となる。
【０００９】
また、請求項２に記載の発明によれば、請求項１に記載の発明の効果に加え、所定状態の空気が、除湿機により除湿された空気及び又は暖熱機により暖められた空気であるため、除湿空気や温風で入浴者の身体に付着している水滴を効率良く除去できると共に、水滴除去時に感じる寒さ等を一層良好に防ぐことができる。
【００１０】
また、請求項３に記載の発明によれば、請求項１または２に記載の発明の効果に加え、送風手段が送風ダクトとコンプレッサを有し、コンプレッサの作動で浴室内の空気を吸引して吹出口ボックスに供給するため、浴室内の空気を例えば除湿機で除湿したり暖熱機で暖めて温風として浴室ドア近傍から浴室内に吹き出すことができ、装置に除湿・換気機能を持たせて浴室内や送風ダクト及び吹出口ボックス内等の湿気を少なくして清潔な状態に容易に維持することができる。
【００１１】
さらに、請求項４に記載の発明によれば、請求項１ないし３に記載の発明の効果に加え、吹出口が浴室ドアの幅方向両側にそれぞれ立設状態で設けられ、各吹出口から吹き出される空気がスウィング可能に構成されているため、入浴者の身体の各部に向けて空気を吹き出すことができて、身体の水滴除去をより一層効率的に行うことができる。
【００１２】
また、請求項５に記載の発明によれば、請求項１ないし４に記載の発明の効果に加え、送風手段の作動を制御する制御手段により浴室ドアが閉じている際に、送風手段を作動させて吹出口から浴室内に空気を吹き出すため、吹出口から吹き出される空気の浴室外への漏れを防止できて、洗面室等を一層衛生的に維持することができると共に、身体の水滴除去をより一層効率的に行うことができる。
【００１３】
また、請求項６に記載の発明によれば、請求項５に記載の発明の効果に加え、浴室ドア近傍に配置した検出手段により吹出口近傍に入浴者を検知した際に、制御手段により送風手段を作動させると共に、所定時間経過した後に送風手段を停止させるため、入浴者が浴室ドア近傍に立つだけで空気が所定時間自動的に吹き出して身体に付着した水滴を除去することができ、水滴除去のための複雑な操作が不要となって、装置の使い勝手を向上させることができる。
【００１４】
またさらに、請求項７に記載の発明によれば、請求項１ないし６に記載の発明の効果に加え、吹出口ボックスが、入浴者の足裏に空気を吹き出し得る足裏吹出口や入浴者の頭部に空気を吹き出し得る頭部吹出口を備えるため、足裏吹出口から吹き出される空気で入浴後の入浴者の足裏の水滴を除去できたり、頭部吹出口から吹き出される空気により頭部の水滴を除去できて、入浴者の全身の水滴を効率的に除去することができると共に、所定の吹出口を選択使用できて装置の使い勝手を一層向上させることができる。
【発明を実施するための最良の形態】
【００１５】
以下、本発明の実施の形態を図面に基づいて詳細に説明する。
図１〜図５は、本発明に係わるボディドライヤ装置の一実施形態を示している。図１に示すように、ボディドライヤ装置１は、浴室２の壁パネル４のドア枠（図示せず）等に取り付けられた吹出口ボックス６と、この吹出口ボックス６に接続された送風装置７（送風手段）と、この送風装置７等を制御する制御装置８（制御手段）を有している。
【００１６】
前記吹出口ボックス６は、浴室２内から見た正面視で下部が開口した略コ字状に形成され、ドア枠に取り付けられたドア９の左右幅と略同一の間隔を有して対向配置された左右吹出部１０と、この左右吹出部１０の上部を連結するように配置された上部吹出部１１とを有している。この上部吹出部１１の長手方向の略中心位置には、前記送風装置７が接続される接続口が形成され、この接続口には、上部吹出部１１内に設けた空気通路（図示せず）を介して左右吹出部１０の空気通路１０ｂ（図３参照）が連通状態とされている。
【００１７】
また、左右吹出部１０には、その内面である互いに対向する対向面１０ａに、上下方向に複数の吹出口１２が連接状態でそれぞれ形成されると共に、上部吹出部１１の内面にも吹出口１２（図示せず）が形成されている。これらの吹出口１２のうち左右吹出部１０の吹出口１２は、例えば図３〜図５に示すように、左右吹出部１０の空気通路１０ｂの前面となる前記対向面１０ａに設けられ上下方向に複数並設された開口１３と、この開口１３内に水平な回転軸により回転可能に配置されたルーバー１４等によって形成されている。
【００１８】
この時、開口１３は対向面１０ａの上下方向に所定間隔を有して複数並設され、各開口１３内に配置されるルーバー１４の回転軸が左右吹出部１０のケース内に配置されたモータ１５（図３参照）の回転軸にそれぞれ連結されている。また、左右吹出部１０の対向面１０ａは、図３に示すように所定角度傾斜して設けられることにより、吹出口１２が浴室２内方向に向き該吹出口１２から後述する圧縮した空気が、矢印イの如く浴室２内方向に指向して吹き出されるように設定されると共に、対向面１０ａの開口１３に設けられたルーバー１４は、モータ１５の回転により図５の矢印ロの如く上下方向に回動するように設定されている。さらに、上部吹出部１１の図示しない吹出口１２も、左右吹出部１０の吹出口１２と基本的に略同一構造で形成されて、その吹出口１２から空気が図１の矢印イの如く浴室２内方向に指向して吹き出されるように設定されている。
【００１９】
なお、上部吹出部１１や左右吹出部１０内には適宜の隔壁（図示せず）が設けられており、これにより前記空気通路１０ｂ等を介して各開口１３（ルーバー１４）部分に供給される空気量ができるだけ均等になるように設定されている。また、左右吹出部１０の吹出口１２の構造は、複数の開口１３のそれぞれにルーバー１４を水平軸内で回転可能に配置した構造に限らず、例えば１つの縦長の開口に複数のルーバー１４を並設配置したり、縦長のルーバーを縦長の開口の幅方向に複数並設して、ルーバー１４を垂直軸内で回転可能に構成したり、ルーバー１４を斜めに並設したり、横方向や縦方向あるいは斜めのルーバー１４を組み合わせた構成とすることもできる。さらに、左右吹出部１０の対向面１０ａも傾斜面に限らず、例えば平坦面としてその開口１３にルーバー１４を傾斜状態で設けて、吹き出される空気の方向を浴室２内方向に指向させる構造としても良い。
【００２０】
前記送風装置７は、図１に示すように一端開口部が上部吹出部１１の前記接続口に接続され、他端開口部が浴室２の天井パネル５に設けられた吸気口に接続された送風ダクト１６を有し、この送風ダクト１６内の所定位置には、コンプレッサ１７と除湿機１８及び暖熱機１９が配置されている。そして、この送風装置７のコンプレッサ１７や除湿機１８、暖熱機１９及び吹出口ボックス６の前記モータ１５は、浴室２や該浴室２に連設された洗面室３（脱衣室）の天井パネル５上に配置した前記制御装置８に接続されている。
【００２１】
この制御装置８は、図示しないマイコン等を有し、その出力側にコンプレッサ１７、除湿機１８、暖熱機１９及びモータ１５等が接続されると共に、その入力側に浴室２のドア９が設けられる壁パネル４の洗面室３側に配置された操作盤２０、ドア９の閉状態を検知するドアセンサ２１、吹出口ボックス６の左右吹出部１０間に入浴者が位置したことを検知する人体検知センサ２２、左右吹出部６の高さ方向の所定位置に複数個設けられた非常停止スイッチ２３等が接続されている。
【００２２】
なお、操作盤２０には、ボディドライヤ装置１を作動可能な状態に設定する運転スイッチ、ボディドライヤ装置１の各種運転モードを設定するモード設定スイッチ、ボディドライヤ装置１の作動時間等を設定する時間設定スイッチ、警報音を発するスピーカや表示器等（いずれも図示せず）が設けられている。また、ドアセンサ２１としては、開戸、折戸、片引戸等の各種ドア９の閉状態を検知するドアノブ部分に設けた各種センサが使用され、人体検知センサ２２としては、左右吹出部１０に設けた赤外線センサか、あるいは図１の二点鎖線で示すように、後述する簀の子２４下部に設けられ人体の重みを検知する重量センサ２５等が使用される。
【００２３】
そして、このように構成されたボディドライヤ装置１は、図１及び図２に示すように、浴室２の洗い場２６で反カウンター３１側の壁パネル４に設けられたドア９部分で、ドア９の内側である浴室２内に設置され、吹出口ボックス６の左右吹出部１０がドア９の幅方向両端部に立設状態で位置し、上部吹出部１１の上面がドア９上方の天井パネル５に略当接する位置に設置される。また、ボディドライヤ装置１が設置される浴室２のドア９近傍の床面（防水パン上）には、図１に示すようにボディドライヤ装置１の前後方向に所定幅を有する前記簀の子２４が配置される。
【００２４】
また、送風装置７は、その送風ダクト１６が浴室２の天井パネル５上（屋根裏）に位置し、その一端開口部が吹出口ボックス６の上部吹出部１１の接続口に接続され、他端開口部が浴室２内の天井パネル５の例えばカウンター３１側上方の吸気口に接続され、これにより、ボディドライヤ装置１が浴室２に設置される。なお、浴室２内の天井パネル５に開口する前記吸気口には、図示しないフィルターが着脱可能に装着される。
【００２５】
次に、このように構成されたボディドライヤ装置１の動作の一例を図６のフローチャートに基づいて説明する。なお、このフローチャートは、制御装置８内のマイコンに記憶されているプログラムにしたがって自動的に実行される。先ず、操作盤２０の前記運転スイッチがオン操作されると、プログラムが開始（Ｓ１０１）され、ドアセンサ２１がオンか否か（ドア９が閉状態か否か）が判断（Ｓ１０２）され、この判断Ｓ１０２は「ＹＥＳ」になるまで繰り返される。そして、判断Ｓ１０２が「ＹＥＳ」の場合、すなわち入浴者がドア９を閉じて入浴している場合は、人体検知センサ２２がオンか否か（入浴者を検知したか否か）が判断（Ｓ１０３）され、この判断Ｓ１０３も「ＹＥＳ」になるまで繰り返される。
【００２６】
判断Ｓ１０３で「ＹＥＳ」になると、すなわち入浴者が浴室２から出ようとしてドア９直前に設置されているボディドライヤ装置１内に入り、簀の子２４上に立ちこれが人体検知センサ２２で検知されると、制御装置８からの制御信号によりボディドライヤ装置１の送風装置７が作動（Ｓ１０４）する。この送風装置７の作動は、例えば操作盤２０に設けた前記モード設定スイッチで設定された運転モードである、送風装置７の除湿機１８と暖熱機１９を共に作動させた乾燥温風運転モード、除湿機１８のみを作動させた除湿風運転モード、暖熱機１９のみを作動させた通常温風運転モードの３つの運転モードのうちの、一つの運転モードで除湿機１８や暖熱機１９が作動すると共に、コンプレッサ１７が作動することにより実行される。これにより、吹出口１２から吹き出される圧縮された空気が、各運転モードに応じた３つの状態（乾燥温風、除湿風、通常温風）のいずれかに設定されることになる。
【００２７】
そして、例えば乾燥温風運転モードが設定されている場合は、除湿機１８と暖熱機１９が作動した状態でコンプレッサ１７が作動することにより、浴室２内の空気が送風ダクト１６内に吸引され、これが除湿機１８と暖熱機１９で除湿及び暖められて圧縮された乾燥温風となり、この乾燥温風が送風ダクト１６から吹出口ボックス６の接続口から上部吹出部１１及び左右吹出部１０に供給されて、その各吹出口１２から矢印イ方向に吹き出されることになる。
【００２８】
この時、乾燥温風が上部吹出部１１や左右吹出部１０の吹出口１２から吹き出されて、入浴者の身体に当たり身体に付着している水滴を吹き飛ばすと共に、この吹き飛ばした水滴が浴室２内に吹き飛ばされて、浴室２内の洗い場２６上に垂れる状態となる。また同時に、左右吹出部１０の高さ寸法が大人の入浴者の身長をカバーできる高さに設定されると共に、上部吹出部１１にも吹出口１２が設けられ、かつ各吹出口１２から吹き出される乾燥温風の向きをルーバー１４の回転で変更できるため、入浴者の全身に乾燥温風を効率的に浴びせて水滴を素早く除去できることになる。
【００２９】
前記判断Ｓ１０４で送風装置７が作動すると、操作盤２０の前記時間設定スイッチで予め設定されているボディドライヤ装置１の作動時間Ｔが経過したか否かが判断（Ｓ１０５）され、この判断Ｓ１０５も「ＹＥＳ」になるまで繰り返される。そして、予め設定した時間Ｔ送風装置７が作動して入浴者に乾燥温風が浴びせられると、制御装置８の制御信号により送風装置７を停止（Ｓ１０６）させ、その後、操作盤２０の前記運転スイッチがオフしたか否かが判断（Ｓ１０７）される。
【００３０】
この判断Ｓ１０７で「ＹＥＳ」の場合、すなわち入浴者がボディドライヤ装置１を使用して身体から水滴を除去し、浴室２から洗面室３に出て操作盤２０の運転スイッチをオフ操作した場合は、一連のプログラムを終了（Ｓ１０８）し、判断Ｓ１０７で「ＮＯ」の場合は、ステップＳ１０２に戻り該ステップＳ１０２以降を繰り返すことになる。なお、このフローチャート中において、非常停止スイッチ２３がオン操作された場合には、直ちに送風装置７の作動を停止させると共に、操作盤２０に設けたスピーカから警報音を発したり表示器に異常表示をするようになっている。
【００３１】
つまり、このボディドライヤ装置１の場合、入浴者が入浴した後に、浴室２から出ようとして簀の子２４上に立つと、送風装置７が所定時間Ｔ自動的に作動して、入浴者の身体に付着している水滴が自動的に除去される状態となり、この時、入浴者はドア９が閉じられて暖かい浴室２内での水滴除去が可能となって、例えば冬季の入浴であっても、寒さを感じることなく脱衣場としての洗面室３に出て略そのままの状態、或いは簡単にタオル等で体を拭く等して着衣できることになる。なお、以上のフローチャートは一例であって、例えばボディドライヤ装置１の作動中に、ドア９の開放動作を禁止させるフロートチャートとしたり、人体検知センサ２２がオフされた場合に、送風装置７を停止させるフローチャートとする等、適宜のフローチャートを採用することができる。
【００３２】
このように、上記実施形態のボディドライヤ装置１にあっては、吹出口ボックス６の左右吹出部１０と上部吹出部１１に吹出口１２をそれぞれ設けると共に、これらを浴室２への出入り口となるドア９部分に配置して、送風装置７により送風される乾燥温風等を各吹出口１２から浴室２内方向に指向させて吹き出すため、浴室２から出ようとする入浴者の身体に付着している水滴を浴室２内で除去して、これを洗い場２６に吹き飛ばすことができる。その結果、除去した水滴が浴室２外である洗面室３に漏出すること等がなくなり、洗面台２７や洗濯機２８（図２参照）が配置される洗面室３の衛生状態を良好に維持することができると共に、湿気による洗面室３の耐久性の低下を防止することもできる。
【００３３】
特に、送風装置７が送風ダクト１６とコンプレッサ１７等を有し、コンプレッサ１７の作動で浴室２内の空気を吸引して吹出口ボックス６に送風するため、浴室２内の空気を例えば除湿機１８で除湿したり暖熱機１９で暖めて乾燥温風等としてドア９近傍から浴室２内に吹き出すことができて、ボディドライヤ装置１に浴室２の除湿・換気機能を持たせて浴室２内や送風ダクト１６及び吹出口ボックス６内の湿気を低くした清潔な状態に容易に維持することができる。また、送風装置７の作動が制御装置８により制御されて、浴室２のドア９が閉じている際に、除湿機１８や暖熱機１９あるいはコンプレッサ１７が作動して、浴室２内に配置した各吹出口１２から乾燥温風等が吹き出されるため、各吹出口１２から吹き出される乾燥温風等の浴室２外への漏れを確実に防止できて、洗面室３等を一層衛生的に維持することができる。
【００３４】
また、送風装置７の送風ダクト１６内に、除湿機１８と暖熱機１９が配置されているため、これらを所定に動作させることにより、乾燥温風、除湿風、通常温風等の所定状態の空気を吹出口ボックス６の各吹出口１２から吹き出すことができて、入浴者の身体の状況に応じて付着している水滴を効率良く除去することができると共に、暖かい温風での水滴除去により入浴者に寒さ等を感じさせないようにすることができる。さらに、ボディドライヤ装置１が浴室２内のドア９近傍に設置されているため、暖かい浴室２内で水滴を除去することができ、これらのことから、例えば冬季の入浴において入浴後の入浴者が寒さ等を感じることなく着衣できて、快適な入浴を行うことが可能となる。
【００３５】
さらに、吹出口ボックス６の左右吹出部１０に大人の身長に対応した吹出口１２が高さ方向に設けられると共に、上部吹出部１１にも吹出口１２が設けられているため、乾燥温風等を入浴者の略全身に浴びせることができて、極めて短時間に入浴者の身体に付着した水滴を除去することができる。また、浴室２のドア９近傍に配置した人体検知センサ２２により吹出口１２近傍で入浴者を検知しドア９が閉状態の場合に、制御装置８により送風装置７を作動させると共に、所定時間Ｔ経過した後に送風装置７を停止させるため、入浴者がドア９近傍に立つだけで所定状態の空気が所定時間Ｔ自動的に吹き出されて入浴者の身体に付着した水滴を除去することができる。
【００３６】
その結果、例えば親子で入浴中に、子供が簀の子２４上に僅かな時間立つだけでその身体に付着した水分を除去することができて、子供が濡れたまま洗面室３に出で風邪をひくこと等を防ぐことができると共に、高齢者や身障者であっても簀の子２４上に立ったままでタオル等を使用することなく身体の水滴を簡単に除去することができる。また、入浴者が簀の子２４上に立つだけで送風装置７が自動的に作動して身体に付着した水滴が除去されるため、水滴除去のための入浴者の複雑な操作が不要になり、子供や高齢者等であっても簡単に使用することができると共に、操作盤２０に設けたモード設定スイッチにより、３つの運転モードで運転可能であるため、例えば入浴者自体の好みや季節（洗面室３内の温度等）に基づいて水滴除去に最適な所望状態の空気を使用することができる。
【００３７】
またさらに、吹出口ボックス６の左右吹出部１０に上下方向の複数個所に非常停止用スイッチ２３が設けられているため、非常発生的に送風装置７を素早く停止状態とすることができて、安全性に優れたボディドライヤ装置１を提供することが可能となる。また、ボディドライヤ装置１が浴室２のドア９近傍で浴室２内に設置されるため、例えばボディドライヤ装置１をドア枠や天井パネル５等に設置できて、従来の浴室２に大きな設計変更を加えることなく対応でき、これらのことから、安価で使い勝手と安全性に優れたボディドライヤ装置１の提供が可能となる。
【００３８】
図７〜図１０は、本発明に関わるボディドライヤ装置のそれぞれ他の実施形態を示しており、以下、上記実施形態と同一部位には同一符号を付して説明する。先ず、図７に示す実施形態のボディドライヤ装置１の特徴は、吹出口ボックス６の左右吹出部１０を前後方向に配置することにより、合計４個所の吹出口１２から所定状態の空気を吹き出すようにした点にある。この場合、ドア９側の左右吹出部１０の吹出口１２ａを浴室２内方向に指向させ、浴室２側の左右吹出部１０の吹出口１２ｂを互いに対向方向に指向させることにより、全体として吹出口ボックス６の各吹出口１２から吹き出される空気が浴室２内方向を指向するように設定されている。
【００３９】
また、図８に示す実施形態のボディドライヤ装置１の特徴は、図７の実施形態と同様に左右吹出部１０を４個所設けると共に、各吹出口１２ａ、１２ｂの空気の吹出方向をスイング可能に構成した点にある。この場合、ドア９側及び浴室２側の左右吹出部１０の吹出口１２ａ、１２ｂの吹出方向は、図で示す範囲内に設定されることで、全体として吹出口ボックス６の各吹出口１２から吹き出される空気が浴室２内方向に指向するように設定されている。これらの各実施形態においても、上記実施形態と略同様の作用効果が得られる他に、左右の吹出口１２が４個所に増えることで全身に空気を浴びせることができて、身体に付着した水滴の除去効率を一層高めることができる。
【００４０】
また、図９に示す実施形態のボディドライヤ装置１の特徴は、浴室２内のドア９直前の前記簀の子２４部分に足裏吹出部２９を配置し、この足裏吹出部２９の吹出口から上方に空気を吹き出すようにした点にある。この実施形態の場合は、入浴者が簀の子２４の上に立つかもしくは簀の子２４上に足を載せることにより、例えば乾燥温風により足裏に付着している水滴を除去することができる。この場合も、足裏吹出部２９の吹出口から吹き出される空気は浴室２内方向に指向するように設定されている。
【００４１】
さらに、図１０に示す実施形態のボディドライヤ装置１の特徴は、浴室２内のドア９直前の上方の天井パネル５部分に頭部吹出部３０を配置し、この頭部吹出部３０の吹出口から斜め下方で浴室２内方向に空気を吹き出すようにした点にある。この実施形態の場合は、前記ボディドライヤ装置１の上部吹出部１１が存在しないタイプの場合に好適に設置され、この頭部吹出口３０から吹き出される例えば乾燥温風により、入浴者の頭部に付着している水滴を除去できてヘアードライヤ的に使用できることになる。このように、本発明に係わるボディドライヤ装置１は、少なくともドア９の幅方向両側に吹出口１２を有すれば良く、上記した各実施形態の全部もしくは一部を組み合わせた構成を採用することもできる。
【００４２】
なお、上記各実施形態においては、ボディドライヤ装置１を浴室２内のドア９近傍に設置した場合について説明したが、本発明はこれに限定されず、例えばボディドライヤ装置１にドア９を取り付けた状態として、このボディドライヤ装置１を浴室２のドア９設置部分に洗面室３内に突出させた状態で設置することもできる。また、上記各実施形態においては、送風ダクト１６の吸気口を浴室２の天井パネル５に設けたが、例えば屋外等の浴室２外に設けても良いし、吹出口ボックス６も左右吹出部１０と上部吹出部１１の一体構造に限らず、別体で形成して各吹出口と送風装置を適宜のダクトで連結することにより、吹出口のみを浴室２の所定の壁パネル等に設ける構成としても良い。
【００４３】
さらに、上記各実施形態においては、吹出口１２を浴室２方向に向けることにより空気の吹き出し方向を浴室２方向に設定し、空気の浴室２外への漏出を防止するように構成したが、例えばドア２側に吹き出される空気量（空気圧）を浴室２内側より高く設定することにより、全体として吹き出される空気の浴室２外への漏出を防ぐようにしても良い。また、上記各実施形態における、吹出口１２から吹き出される空気の状態、除湿機１８や暖熱機１９、コンプレッサ１７の配置位置、吹出口ボックス６の形状、浴室２自体の形状等も一例であって、例えば吹き出される所定状態の空気として冷風や涼風を使用する等、本発明に係わる各発明の要旨を逸脱しない範囲において適宜の構成等を採用することができる。
【産業上の利用可能性】
【００４４】
本発明は、一般家庭のシステムバスルーム等の浴室に限らず、例えばゴルフ場や旅館、ホテル、銭湯等の浴場（浴室）のドア近傍に設置されるボディドライヤ装置としても適用することができる。
【図面の簡単な説明】
【００４５】
【図１】本発明に係わるボディドライヤ装置を設置した浴室の要部斜視図
【図２】同その概略平面図
【図３】同吹出口ボックスの横断面図
【図４】同その正面図
【図５】同その縦断面図
【図６】同ボディドライヤ装置の動作の一例を示すフローチャート
【図７】本発明に係わるボディドライヤ装置を設置した浴室の他の実施形態を示す概略平面図
【図８】本発明に係わるボディドライヤ装置を設置した浴室のさらに他の実施形態を示す要部の概略平面図
【図９】本発明に係わるボディドライヤ装置を設置した浴室のさらに他の実施形態を示す要部の正面図
【図１０】本発明に係わるボディドライヤ装置を設置した浴室のさらに他の実施形態を示す要部の断面図
【符号の説明】
【００４６】
１・・・ボディドライヤ装置、２・・・浴室、３・・・洗面室、４・・・壁パネル、５・・・天井パネル、６・・・吹出口ボックス、７・・・送風装置、８・・・制御装置、９・・・ドア、１０・・・左右吹出部、１０ａ・・・対向面、１０ｂ・・・空気通路、１１・・・上部吹出部、１２・・・吹出口、１３・・・開口、１４・・・ルーバー、１６・・・送風ダクト、１７・・・コンプレッサ、１８・・・除湿機、１９・・・暖熱機、２０・・・操作盤、２１・・・ドアセンサ、２２・・・人体検知センサ、２３・・・非常停止スイッチ、２４・・・簀の子、２５・・・重量センサ、２６・・・洗い場、２９・・・足裏吹出部、３０・・・頭部吹出部。
【図１】
2006122420.tif 000003
【図２】
2006122420.tif 000004
【図３】
2006122420.tif 000005
【図４】
2006122420.tif 000006
【図５】
2006122420.tif 000007
【図６】
2006122420.tif 000008
【図７】
2006122420.tif 000009
【図８】
2006122420.tif 000010
【図９】
2006122420.tif 000011
【図１０】
2006122420.tif 000012